(57)【要約】【課題】放射エレメント導体を複数の周波数帯域によって共用しても、受信エネルギーの低下及び回り込み現象が生じないようにした広帯域平面アンテナを提供する。【解決手段】誘電体基板１０の片面には楕円形状の放射エレメント導体１１と長方形のグランド導体１２とが非接触に設けられ、放射エレメント導体１１の下端及び右斜め下の部分にはジグザグ形の第１，第２の伝送線路１３，１４の一端が接続され、それぞれの他端はグランド導体１２の近傍で終端になり、第２の伝送線路１４の終端部には直線状の第３の伝送線路１５が平行に設けられている。グランド導体１２の上辺部分の第１，第３の伝送線路１３，１５に対向する位置には、第１，第２の接栓１６，１７が設けられ、第１の接栓１６の芯線は第１の伝送線路１３の終端にリード線１８で接続され、第２の接栓１７の芯線は伝送線路１５のグランド導体１２側の端部にリード線１９で接続されている。【選択図】図１
2011078037.tif 000002
【特許請求の範囲】
【請求項１】
誘電体基板と、
前記誘電体基板の表面に配置されたグランド導体と、
前記グランド導体に対して非接触、且つ、所定の距離を隔てて前記誘電体基板の前記グランド導体と同一平面上に配置された放射エレメント導体と、
前記放射エレメント導体の周縁の所定箇所から前記グランド導体の所定箇所に向けて所定の形状で配線された伝送線路又は非接触で近接させた２以上の配線によって形成された伝送線路であって、当該伝送線路の形状、長さ或いは線幅を変化させ又は非接触で近接させた２以上の配線との距離若しくは長さを変化させることにより当該伝送線路を通過する信号の周波数帯域を変化させ、それによって前記放射エレメント導体と接続された側とは反対側の端部を当該周波数帯域の信号を利用する無線機器に対する送受信の給電部とした複数の伝送線路と、
前記グランド導体に設けられ、複数の前記伝送線路の端部の前記給電部とそれぞれ接続された複数の接栓と、
を有することを特徴とする広帯域平面アンテナ。
【請求項２】
請求項１に示す広帯域平面アンテナにおいて、
前記放射エレメント導体は楕円形状を成すと共に、前記グランド導体は四角形状を成していることを特徴とする広帯域平面アンテナ。
【請求項３】
請求項１又は２に記載の広帯域平面アンテナにおいて、
複数の前記接栓は、前記誘電体基板上に配線された複数の前記伝送線路からリード線によってそれぞれ接続されていることを特徴とする広帯域平面アンテナ。
【請求項４】
請求項１から３のいずれか１項に記載の広帯域平面アンテナにおいて、
前記複数の伝送線路のうち前記誘電体基板上に配線され、且つ、前記放射エレメント導体と接続される伝送線路は、予め定めた周波数帯域の電波を高感度で受信できると共に、当該周波数帯域が広くなる位置に接続され、さらには送受信周波数における電流が強く分布している位置に接続されていることを特徴とする広帯域平面アンテナ。
【請求項５】
請求項２から４のいずれか１項に記載の広帯域平面アンテナにおいて、
複数の前記伝送線路のうちの１つの伝送線路は、一端が前記放射エレメント導体の下端側長軸端に接続されると共に、他端が前記グランド導体側の近傍に達するジグザグ状の配線パターンからなることを特徴とする広帯域平面アンテナ。
【請求項６】
請求項１から４のいずれか１項に記載の広帯域平面アンテナにおいて、
複数の前記伝送線路のうちの１つの伝送線路は、一端が前記放射エレメント導体の短軸側の周縁に接続されると共に、他端側に所定長さの直線部を有するジグザグ状の配線パターンと、前記直線部分に対して非接触、且つ、平行に設けられた直線状の配線パターンとからなることを特徴とする広帯域平面アンテナ。
【請求項７】
請求項５又は６に記載の広帯域平面アンテナにおいて、
前記複数の伝送線路のうちの１つは地上デジタルテレビジョン放送を対象とし、他の伝送線路の１つは無線ＬＡＮを対象とすることを特徴とする広帯域平面アンテナ。
【発明の詳細な説明】
【技術分野】
【０００１】
本発明は、平面アンテナに関し、特に、１つの放射エレメント導体を複数の周波数帯域で共用することが可能な広帯域平面アンテナに関する。
【背景技術】
【０００２】
従来のアンテナの１つに図７に示す構成の広帯域平面アンテナがある。この平面アンテナ１００は、誘電体基板１０１と、この誘電体基板１０１の片面に設けられた銅箔等の導電体で構成した楕円形状の放射エレメント導体１０２と、放射エレメント導体１０２に対して所定の距離をとって同一平面上に設けられた銅箔等の導電体で構成した四角形状のグランド導体１０３と、放射エレメント導体１０２に直近の位置にグランド導体１０３に介在させて誘電体基板１０１に設けられた接栓１０４と、放射エレメント導体１０２と接栓１０４の芯線とをグランド導体１０３に接触しない様にして接続するリード線１０５と、を備えている。なお、図７に示す構成の広帯域平面アンテナに類似の広帯域平面アンテナとして非特許文献１に示されるものがある。
【０００３】
平面アンテナ１００は、受信機、送信機、送受信機等の図示しない無線機器に接続された同軸ケーブルのコネクタが接栓１０４に接続される。無線機器が平面アンテナ１００を受信アンテナとして用いた場合、放送電波等が放射エレメント導体１０２で受信され、リード線１０５、接栓１０４及び同軸ケーブルを介して無線機器に入力される。また、平面アンテナ１００を送信用に用いた場合、無線機器からの高周波出力は、接栓１０４及びリード線１０５を介して放射エレメント導体１０２に印加され、放射エレメント導体１０２から電波が放射される。
【０００４】
ところで、アンテナは、通常、無線機器ごとに用意されるが、１つのアンテナを複数の無線機器（例えば、テレビ放送受信装置と無線ＬＡＮ用装置）で共用したい場合がある。しかし、無線機器間で使用周波数が異なり或いは通信の機能が異なると、各無線機器からの同軸ケーブルを接続するための接栓は、一般に機器毎に必要になる。そのため、異なる周波数帯域或いは通信機能を持つ複数の無線機器でアンテナを共用する場合、一つの接栓で取り扱う周波数成分を複数の同軸ケーブルへ分配するための分配回路が従来より用いられている。
【先行技術文献】
【非特許文献】
【０００５】
【非特許文献１】社団法人映像情報メディア学会技術報告Ｖｏｌ．３２，Ｎｏ．１１，ＰＰ．５〜８
【発明の概要】
【発明が解決しようとする課題】
【０００６】
しかし、図７に示した平面アンテナは、複数の接栓を設けて複数の無線機器で共用しようとすると分配回路が必要となり、無線機器の小型化に限界が生じると共に製造コストを低減することが難しい。また、分配回路は、受信した全ての周波数成分のエネルギーを複数の同軸ケーブルに分配するため、分配後の信号エネルギーが低下し、受信品質の劣化が発生する。更に、１つの無線機器からの送信エネルギーが分配器を介して他の受信機器に回り込む現象が生じると、送信エネルギーが放射エレメント導体に効率良く伝送されないため、送信エネルギーの低下によって通信品質が劣化するという問題がある。
【０００７】
従って、本発明の目的は、分配器を設けない構成にすることにより、放射エレメント導体を複数の周波数帯域によって共用しても、分配器の使用に起因して生じる受信エネルギーの低下及び回り込み現象が生じないようにした広帯域平面アンテナを提供することにある。
【課題を解決するための手段】
【０００８】
上記目的を達成するため、請求項１に記載の本発明は、誘電体基板と、前記誘電体基板の表面に配置されたグランド導体と、前記グランド導体に対して非接触、且つ、所定の距離を隔てて前記誘電体基板の前記グランド導体と同一平面上に配置された放射エレメント導体と、前記放射エレメント導体の周縁の所定箇所から前記グランド導体の所定箇所に向けて所定の形状で配線された伝送線路又は非接触で近接させた２以上の配線によって形成された伝送線路であって、当該伝送線路の形状、長さ或いは線幅を変化させ又は非接触で近接させた２以上の配線との距離若しくは長さを変化させることにより当該伝送線路を通過する信号の周波数帯域を変化させ、それによって前記放射エレメント導体と接続された側とは反対側の端部を当該周波数帯域の信号を利用する無線機器に対する送受信の給電部とした複数の伝送線路と、前記グランド導体に設けられ、複数の前記伝送線路の端部の前記給電部とそれぞれ接続された複数の接栓と、を有することを特徴とする広帯域平面アンテナを提供する。
【０００９】
上記目的を達成するため、請求項２に記載の本発明は、請求項１に示す広帯域平面アンテナにおいて、前記放射エレメント導体は楕円形状を成すと共に、前記グランド導体は四角形状を成していることを特徴とする。
【００１０】
上記目的を達成するため、請求項３に記載の本発明は、請求項１又は２に記載の広帯域平面アンテナにおいて、複数の前記接栓は、前記誘電体基板上に配線された複数の前記伝送線路からリード線によってそれぞれ接続されていることを特徴とする。
【００１１】
上記目的を達成するため、請求項４に記載の本発明は、請求項１から３のいずれか１項に記載の広帯域平面アンテナにおいて、前記複数の伝送線路のうち前記誘電体基板上に配線され、且つ、前記放射エレメント導体と接続される伝送線路は、予め定めた周波数帯域の電波を高感度で受信できると共に、当該周波数帯域が広くなる位置に接続され、さらには、送受信周波数における電流が強く分布している位置に接続されていることを特徴とする。
【００１２】
上記目的を達成するため、請求項５に記載の本発明は、請求項２から４のいずれか１項に記載の広帯域平面アンテナにおいて、複数の前記伝送線路のうちの１つの伝送線路は、一端が前記放射エレメント導体の下端側長軸端に接続されると共に、他端が前記グランド導体側の近傍に達するジグザグ状の配線パターンからなることを特徴とする。
【００１３】
上記目的を達成するため、請求項６に記載の本発明は、請求項１から４のいずれか１項に記載の広帯域平面アンテナにおいて、複数の前記伝送線路のうちの１つの伝送線路は、一端が前記放射エレメント導体の短軸側の周縁に接続されると共に、他端側に所定長さの直線部を有するジグザグ状の配線パターンと、前記直線部分に対して非接触、且つ、平行に設けられた直線状の配線パターンとからなることを特徴とする。
【００１４】
上記目的を達成するため、請求項７に記載の本発明は、請求項５又は６に記載の広帯域平面アンテナにおいて、前記複数の伝送線路のうちの１つは地上デジタルテレビジョン放送を対象とし、他の伝送線路の１つは無線ＬＡＮを対象とすることを特徴とする。
【発明の効果】
【００１５】
本発明の広帯域平面アンテナによれば、放射エレメント導体を複数の周波数帯域によって共用しても、受信エネルギーの低下及び回り込み現象が生じないようにすることができ、これによってアンテナの小型化が図れると共に通信品質の劣化を防止することができる。
【図面の簡単な説明】
【００１６】
【図１】本発明の第１の実施の形態に係る広帯域平面アンテナを示す正面図である。
【図２】図１に示す広帯域平面アンテナの裏面図である。
【図３】図１の広帯域平面アンテナの等価回路を示す図である。
【図４】本発明の第２の実施の形態に係る広帯域平面アンテナを示す正面図である。
【図５】本発明の第３の実施の形態に係る広帯域平面アンテナを示す正面図である。
【図６】図５の広帯域平面アンテナの裏面図である。
【図７】従来の広帯域平面アンテナを示す正面図である。
【発明を実施するための形態】
【００１７】
［第１の実施の形態］
（広帯域平面アンテナの構成）
図１は、本発明の第１の実施の形態に係る広帯域平面アンテナを示す正面図、図２は、図１の広帯域平面アンテナの裏面図である。この平面アンテナ１は、４７０〜７１０ＭＨｚ帯の地上デジタルテレビジョン(以下、「地上波デジタルテレビ」という)放送と２．４ＧＨｚ帯（２．４〜２．４９７ＧＨｚ）の無線ＬＡＮ（Local Area Network）とを共用するためのものであるが、この組み合わせに限定されるものではない。なお、無線ＬＡＮには、ＩＥＥＥ８０２．１１ｂ及びＩＥＥＥ８０２．１１ｇの規格に準拠する２．４ＧＨｚ帯と、ＩＥＥＥ８０２．１１ａの規格に準拠する５．２ＧＨｚ帯（５．１５〜５．２５ＧＨｚ）とがある。
【００１８】
平面アンテナ１は、エポキシ樹脂、ガラス等からなる誘電体基板１０と、この誘電体基板１０の片面に設けられた楕円形状の放射エレメント導体１１と、放射エレメント導体１１に対し非接触、且つ、所定の距離を隔てて放射エレメント導体１１と同一平面上に設けられた四角形状のグランド導体１２と、放射エレメント導体１１の一端（図１の下端）に一端が接続された状態で誘電体基板１０上に設けられている銅箔パターン等の配線パターンによる第１の伝送線路１３と、放射エレメント導体１１の下方寄りの側部に一端が接続されている状態で誘電体基板１０上に設けられた銅箔パターン等による第２の伝送線路１４と、第２の伝送線路１４の他端（図１の下端）に平行させて誘電体基板１０上に設けられた銅箔パターン等による第３の伝送線路１５と、第１の伝送線路１３の他端（図１の下端）近傍のグランド導体１２上に位置させて誘電体基板１０に設けられた第１の接栓１６と、第２の伝送線路１４の他端（図１の下端）近傍のグランド導体１２上に位置させて誘電体基板１０に設けられた第２の接栓１７と、第１の伝送線路１３の他端（下端）と第１の接栓１６の芯線とをグランド導体１２に接触しないようにして接続する第１のリード線１８と、第３の伝送線路１５の下端と第２の接栓１７の芯線とをグランド導体１２に接触しないようにして接続する第２のリード線１９と、を備えている。
【００１９】
放射エレメント導体１１は、例えば、プリント配線等による銅箔パターン（配線パターン）からなり、地上デジタルテレビの周波数帯域（第１の周波数帯域）及び２．４ＧＨｚ帯の無線ＬＡＮの周波数帯域（第２の周波数帯域）の両方において効率良く電波の放射及び受信が可能なように楕円形状の長軸及び短軸の長さが設定されている。長軸の長さをＤ１、短軸の長さをＤ２としたときの離心率ｅは、数式１によって求められ、例えば、Ｄ１を１６ｍｍ、Ｄ２を１２．８ｍｍとしたときの離心率ｅは０．６である。数式１中の（Ｄ２／Ｄ１）を変えることにより、周波数特性を変えることができる。なお、放射エレメント導体１１は楕円形状に限定されるわけではないが、本発明者らの検討によれば、楕円形状にすることで良好な結果が得られた。
【００２０】
［数１］
ｅ＝｛１−（Ｄ２／Ｄ１）｝１／２
【００２１】
グランド導体１２は、例えば、幅（ｗ）３０．５ｍｍ×高さ（ｈ）１６ｍｍのサイズを有し、放射エレメント導体１１と同様に銅箔パターン等によって形成されており、その幅ｗを最適に設定することにより広帯域特性を得ることができる。
【００２２】
第１〜第３の伝送線路１３〜１５は、いずれもプリント配線によって誘電体基板１０に設けられ、第１の伝送線路１３及び第３の伝送線路１５のグランド導体１２側の端部は、グランド導体１２に対して所定の距離を隔てて設けられている。第１の伝送線路１３は、その長さ、線幅及び形状を設定することにより、地上デジタルテレビ放送の電波を効率良く接栓１６へ伝送する周波数特性を持たせることができる。また、第２，第３の伝送線路１４，１５は、その長さ、線幅及び形状を設定することにより、２．４ＧＨｚ帯の無線ＬＡＮの電波を効率良く接栓１７へ伝送する周波数特性を持つように設定されている。
【００２３】
第１の伝送線路１３は、グランド導体１２の方向に向けてジグザグ形に設けられ、その下端は第１の接栓１６に近い位置で終端されて無線機器に対する給電部となり、この終端には第１のリード線１８が接続されている。第１の伝送線路１３の放射エレメント導体１１に対する接続位置は、地上デジタルテレビ放送波を高感度に受信でき、且つ、周波数帯域が広くなる場所である。
【００２４】
第２の伝送線路１４は、放射エレメント導体１１の右下方向に向けてジグザグ形に設けられ、第２の接栓１７に近い位置で終端になっている。第２の伝送線路１４の放射エレメント導体１１に対する接続位置は、シミュレーションによる電流分布解析結果に基づいて２．４ＧＨｚ帯の電流が強く分布している位置にする。
【００２５】
第３の伝送線路１５は、第２の伝送線路１４の下端部に平行するようにして直線状に短い長さで設けられ、その下端（グランド導体１２側の端部）は送受信の給電部となり、この給電部に第２のリード線１９が接続されている。この第３の伝送線路１５は、その長さや第２の伝送線路１４との間の距離を変えることにより、この伝送系の周波数が変化する。
【００２６】
第１，第２の接栓１６，１７は、例えば、ＢＮＣ型、Ｎ型、ＳＭＡ型等の規格による市販のコネクタである。第１の接栓１６は、地上デジタルテレビ放送帯の高周波信号、即ち４７０〜７１０ＭＨｚ帯の高周波信号を伝送可能な同軸コネクタであり、図２に示す誘電体基板１０の裏面側に地上デジタルテレビ放送受信機に接続された同軸ケーブルのプラグが接続される。また、第２の伝送線路１４は、無線ＬＡＮの周波数帯域の信号、即ち２．４９７ＧＨｚまでの高周波信号を伝送可能な同軸コネクタであり、図２に示す誘電体基板１０の裏面側に無線ＬＡＮ装置に接続された同軸ケーブルのプラグ（図示せず）が接続される。
【００２７】
（広帯域平面アンテナの動作）
図３は、図１の広帯域平面アンテナの等価回路を示す図である。図３に示すように、第１の伝送線路１３と給電点との間に生じる静電容量２０と、第１の伝送線路１３が持つインダクタンスＬ１とによって、所望の周波数帯域のみを通過させる周波数フィルター、ここでは地上デジタルテレビ放送の周波数帯域のみを通過させる第１のフィルター３０が形成される。
【００２８】
また、第２の伝送線路１４と第３の伝送線路１５との間に主として生じる静電容量２１、第２の伝送線路１４及び第３の伝送線路１５のインダクタンスＬ２，Ｌ３の直列接続によって所望の周波数帯域のみを通過させる周波数フィルター、ここでは無線ＬＡＮ（２．４ＧＨｚ帯）の周波数の信号のみを通過させる特性を有する第２のフィルター４０が形成される。なお、第１，第２，第３の伝送線路１３，１４，１５は、それ自身で浮遊静電容量及び抵抗を有するが、ここでは図示を省略している。
【００２９】
第１の伝送線路１３及び第２，第３の伝送線路１４，１５によって図３のように第１のフィルター３０及び第２の４０が形成されることにより、地上デジタルテレビ放送の周波数帯域の電波及び無線ＬＡＮの周波数帯域の電波は、以下のように伝搬する。まず、放射エレメント導体１１によって受信された地上デジタルテレビ放送の受信信号は、第１のフィルター３０及び第１のリード線１８を通過して第１の接栓１６に伝達されるが第２のフィルター４０では阻止されるため、第２の接栓１７には伝達しない。一方、無線ＬＡＮの周波数帯域の受信信号は、第２のフィルター４０を通過して第２の接栓１７に伝達されるが第１のフィルター３０では阻止されるため、第１の接栓１６へは伝達されない。
【００３０】
また、無線ＬＡＮの機器からの送信出力は、第２の接栓１７及びリード線１９を介して第２のフィルター４０に印加される。無線ＬＡＮの周波数の送信信号は第２のフィルター４０を通過して放射エレメント導体１１に給電され、放射エレメント導体１１から無線ＬＡＮの電波が空中に放射される。このとき、第１の接栓１６へは第１のフィルター３０の第１の伝送線路１３によって無線ＬＡＮの信号は殆ど阻止される。
【００３１】
（第１の実施の形態の効果）
第１の実施の形態によれば、以下の効果を奏する。
（１）第１の伝送線路１３からなる第１のフィルター３０と第２，第３の伝送線路１４，１５からなる第２のフィルター４０との２つを放射エレメント導体１１に接続し、それぞれに第１，第２の接栓１６，１７を接続して従来必要であった分配器を不要にしたため、１つの放射エレメント導体を複数の周波数帯によって共用可能なアンテナを製造する場合、分配器の設置が不要になることから製造コストを削減することができる。
（２）第１のフィルター３０を設けて地上デジタルテレビ放送の電波は第１の接栓１６のみを伝送し、第２のフィルター４０を設けて無線ＬＡＮの電波は第２の接栓１７のみを伝送する構成にしたので、放射エレメント導体１１を２つの周波数帯域で共用しても、送受信エネルギーの低下を防止できると共に、受信エネルギーが分配されることに起因する感度劣化を防止することができる。
（３）第１の伝送線路１３がフィルタ特性を有することにより、第２の接栓１７に印加された送信信号が第１の接栓１６へ回り込むのを防止できるため、無線ＬＡＮの送信エネルギーの低下による通信品質の劣化を防止することができる。
【００３２】
［第２の実施の形態］
図４は、本発明の第２の実施の形態に係る広帯域平面アンテナを示す正面図である。本実施の形態は、第１の実施の形態において、第２の接栓１７を使用する周波数帯域に応じて第３の伝送線路１４の形状を変更し、第２，第３の伝送線路１４，１５によって構成される第２のフィルター４０の周波数帯域を変更したものである。本実施の形態では、２．４ＧＨｚ帯から５．２ＧＨｚ帯に変更している。なお、放射エレメント導体１１から第１，第２の接栓１６，１７への信号の流れ、及び第２の接栓１７から放射エレメント導体１１への信号の流れは、第１の実施の形態と同じであるので、説明を省略する。
【００３３】
第２の実施の形態によれば、第２のフィルター４０の通過周波数及び通過周波数帯域を任意に変更することができる。その他の効果は、第１の実施の形態と同様である。
【００３４】
［第３の実施の形態］
図５は、本発明の第３の実施の形態に係る広帯域平面アンテナを示す正面図、図６は図５の広帯域平面アンテナの裏面図である。本実施の形態は、第１の実施の形態において、第２の伝送線路１４及び第３の伝送線路１５からなる第２のフィルター４０と同様の構成を有する第３のフィルター４１が、第４の伝送線路２２及び第５の伝送線路２３によって構成され、このフィルター４１を第２のフィルター４０に対してほぼ対称な位置（放射エレメント導体１１を中心にして）に設け、更に、第２の接栓１７及び第２のリード線１９と同様の構成及び同様の接続関係にした第３の接栓２４及び第３のリード線２５を、給電点を挟んで第２の接栓１７及び第２のリード線１９とは反対側に配設したものであり、その他の構成は第１の実施の形態と同様である。これにより、例えば、２．４ＧＨｚ帯に加え、５．２ＧＨｚ帯を第３の周波数帯域として使用することが可能になる。
【００３５】
本実施の形態においては、第４の伝送線路２２及び第５の伝送線路２３は、対象となる周波数帯が第２の伝送線路１４及び第３の伝送線路１５とは異なっている。そのため、第４の伝送線路２２及び第５の伝送線路２３は、所望の第３の周波数帯が得られるように、第４の伝送線路２２及び第５の伝送線路２３の長さや形状を設定して第３のフィルター４１の周波数特性を調整し、且つ、第４の伝送線路２２と放射エレメント導体１１の接続点は、第３の周波数帯の電流が強く分布している位置にしている。更に、第３の接栓２４は、グランド導体１２上で第３の周波数帯の電流が強く分布している位置に設置する。なお、放射エレメント導体１１から第１〜第３の接栓１６，１７，２４への信号の流れ、及び第２，第３の接栓１７，２４から放射エレメント導体１１への信号の流れは、第１の実施の形態と同じであるので、説明を省略する。
【００３６】
第３の実施の形態によれば、３つの周波数帯域に対応した広帯域平面アンテナ１を構築することができる。その他の効果は、第１，第２の実施の形態と同様である。
【００３７】
なお、第３の実施の形態において、フィルター及び接栓は、必要に応じて更に増設することができる。
【００３８】
［他の実施の形態］
上記各実施の形態において、第１，第２，第４の伝送線路１３，１４，２２は、図１、図２、図４〜図６に示したジグザグ形に限定されるものではなく、例えば、Ｓ字の繰り返し形状、Ｖ字の繰り返し形状、渦巻き形等であってもよい。
【００３９】
また、上記各実施の形態においては、全体の形状を変えることなく、第２のフィルター４０及び第３のフィルター４１内の伝送線路の長さや形状を変更することにより、第２のフィルター４０及び第３のフィルター４１の周波数特性を変更することができる。また、伝送線路１４，２２は、接続点を所望の周波数の電流が強く分布している放射エレメント導体１１上の位置に接続点を変更することで、伝送効率を向上させることができる。更に、第２の接栓１７の設置場所を所望の周波数の電流が強く分布しているグランド導体１２上の位置に変更することで、第２の接栓１７が伝送する周波数を変更することができる。
【００４０】
また、上記各実施の形態において、第１〜第３の接栓１６，１７，２４は必ずしも必要ではなく、グランド導体１２に複数の受給電位置（受給電点）を設定し、無線機器側からの同軸ケーブルの芯線を対応する伝送線路に半田付けで接続し、同軸ケーブルのシールドをグランド導体１２に半田付けで接続する構成であってもよい。
【００４１】
また、上記各実施の形態において、誘電体基板１０は、硬質な基板のほか、フレキシブル基板、シート、フィルム等であってもよい。
【符号の説明】
【００４２】
１    広帯域平面アンテナ
１０  誘電体基板
１１  放射エレメント導体
１２  グランド導体
１２  放射エレメント導体
１３  第１の伝送線路
１４  第２の伝送線路
１５  第３の伝送線路
１６  第１の接栓
１７  第２の接栓
１８  第１のリード線
１９  第２のリード線
２０  静電容量
２１  静電容量
２２  第４の伝送線路
２３  第５の伝送線路
２４  第３の接栓
２５  第３のリード線
３０  第１のフィルター
４０  第２のフィルター
４１  第３のフィルター
【図１】
2011078037.tif 000003
【図２】
2011078037.tif 000004
【図３】
2011078037.tif 000005
【図４】
2011078037.tif 000006
【図５】
2011078037.tif 000007
【図６】
2011078037.tif 000008
【図７】
2011078037.tif 000009